Podtech/llm-jp-corpus-v4-ja_patent huggingface dataset:
(57)【要約】【課題】弾性体からなる二本のローラを左右平行に配置して互いに食い込み方向に自転させるトウモロコシの処理装置において、トウモロコシの毛を連続して自動的に除去できるようにすること【解決手段】ローラの一方を他方より硬い弾性体で形成し、硬質ローラを軟質ローラより若干速く自転させ、ローラの一端側を高くして食い込み部を傾斜させ、ローラの上方に散水装置を配置した【選択図】図１
2008272049.tif 000002
【特許請求の範囲】
【請求項１】
弾性体からなる二本のローラを左右平行に配置して互いに食い込み方向に自転させるトウモロコシの処理装置において、ローラの一方を他方より硬い弾性体で形成し、硬質ローラを軟質ローラより若干速く自転させ、ローラの一端側を高くして食い込み部を傾斜させ、ローラの上方に散水装置を配置したトウモロコシの毛除去装置。
【請求項２】
軟質ローラを軟質発泡体で形成した請求項１に記載のトウモロコシの毛除去装置。
【請求項３】
ローラの下方に散水装置を配置した請求項１又は２に記載のトウモロコシの毛除去装置。
【発明の詳細な説明】
【技術分野】
【０００１】
本発明は、弾性体からなる二本のローラを左右平行に配置して互いに食い込み方向に自転させるトウモロコシの処理装置に関するもので、トウモロコシの毛を自動的に除去する場合に使用する。
【背景技術】
【０００２】
トウモロコシの皮を剥く装置としては、特許文献１に開示のものが知られているが、トウモロコシの毛を自動的に除去するための装置に関する公知技術は存在していない。
上記の皮剥き装置は、ゴムなどの弾性体で形成され、表面に螺旋状の溝を設けた複数のローラを筏状に配列し、隣接したローラ同志の溝の螺旋方向及び自転方向を逆向きにし、一つ置きにローラの表面同志が噛み合うようにした装置であり、その上に収穫したトウモロコシを供給してローラ間に皮を挟み込んで穂から皮や茎を除去するようにしている。
【０００３】
しかしながら、上記の装置では、ローラの噛み合わせによって硬い皮や茎は除去できるものの、穂先に集中して生えている細い毛をきれいに除去することはできない。
トウモロコシを飼料に加工する場合には、毛を完全に除去する必要はないが、食品として利用する場合には、毛の除去が必須の工程となる。
左右平行に配置して食い込み方向に自転させたローラ間に１個ずつトウモロコシの穂先を臨ませ、手作業によって毛を除去することも行われているが、毛をきれいに除去することができず、しかも、除去された毛がローラに巻き付いて、連続して毛の除去を行えない不都合があった。
【特許文献１】米国特許第５４５１１８４号公報
【発明の開示】
【発明が解決しようとする課題】
【０００４】
本発明は、弾性体からなる二本のローラを左右平行に配置して互いに食い込み方向に自転させるトウモロコシの処理装置において、トウモロコシの毛を連続して自動的に除去できるようにすることを課題としたものである。
【課題を解決するための手段】
【０００５】
この技術的課題を解決するための第一の技術的手段は、（イ）ローラの一方を他方より硬い弾性体で形成し、（ロ）硬質ローラを軟質ローラより若干速く自転させ、（ハ）ローラの一端側を高くして食い込み部を傾斜させ、（ニ）ローラの上方に散水装置を配置したこと、である。
第二の技術的手段は、軟質ローラを軟質発泡体で形成したことであり、第三の技術的手段は、ローラの下方に散水装置を配置したことである。
【０００６】
第一の技術的手段においては、ローラを硬いローラと軟いローラとで構成され、前者の硬質ローラが後者の軟質ローラより若干速く自転させられているから、ローラ間に供給されたトウモロコシは、硬いローラによって回転力が与えられ、ローラ間上で回転させられることになる。
この時、トウモロコシは軟質ローラと同じ方向に回転させられているから、トウモロコシの毛はトウモロコシの回転方向とは逆向きにトウモロコシに巻き付いた状態となる。軟質ローラは、摩擦力を働かせてこの毛を根元側から擦り取るようにして除去し、毛は硬質ローラとの間に食い込まれていくことになる。
【０００７】
ローラの一方の端部を高くしてローラの食い込み部が傾斜させられているから、ローラ間に供給されたトウモロコシは回転させられながら踊るようにしてローラ間上を下側へ移動し、その間に穂先に密集している毛は自動的に除去されることになる。
ローラ間の上方には散水装置が配置されているから、供給されたトウモロコシは常時濡れた状態となり、ローラ上を円滑に移動させられると共に、除去された毛は水と共にローラの下へ流出し、除去された毛がローラに巻き付くことはなく、連続して毛の除去作業が行われる。
【０００８】
ローラの表面を構成する弾性体としては、合成ゴムや合成樹脂を好適に使用することができる。
また、軟質ローラを軟質発泡体で形成すると、トウモロコシに対する摩擦力を強めることができるから、毛を一層効率よく除去することができる。
ローラの下方にも散水装置を配置して置くと、ローラが食い込んで排出する毛に下側からも水を供給して一層円滑に流出させることになる。
【発明の効果】
【０００９】
トウモロコシの毛を連続して自動的に除去できる結果、トウモロコシの処理を円滑且つ効率的に行える利点がある。
【発明を実施するための最良の形態】
【００１０】
図１は本発明に係るトウモロコシの毛の除去装置１の正面図である。
装置１は、機枠２内に左右平行に配置したローラ１１、１２（図２参照）を斜め方向に支持している。
この実施例では、表面を硬度７０°の合成ゴムからなるローラ１１と硬度４５°の軟質発泡ゴムからなるローラ１２とで構成している。これらのローラは、モータ３の回転力が歯車機構４を介して伝達され、前者は１５０ｒｐｍ．後者を１１０ｒｐｍ．の速度で矢印方向に自転させている。
【００１１】
ローラ１１、１２の上端側では、機枠２の外側にモータ５で駆動する無端ベルト６を配置して、矢印方向に走行させている。この上に皮を除去したトウモロコシ１０を乗せると、トウモロコシ１０は自動的にローラ１１、１２上に供給されるようになっている。
【００１２】
ローラ１１、１２上に供給されたトウモロコシ１０は、ローラ１１によって回転させられながらローラの下端側へ移動することになる。ローラ１１、１２の上方には、散水装置７が配置してあって、トウモロコシ１０は、水に濡れた状態で回転、移動させられる。
【００１３】
ローラ１２は、トウモロコシの回転方向とは逆向きに巻き付いている毛の根元側から摩擦力を働かせてこれを除去し、水と共にローラの下方へ排出するが、この実施例では、ローラ１１、１２の下方にも散水装置８を配置していて、除去した毛を確実に流出させるようにしている。
【００１４】
ローラ１１、１２の硬さや硬さの差は上記の硬度に限定されるものではない。ローラの長さ、設置角度、回転速度トウモロコシの大きさなどを勘案して設計することになる。
【図面の簡単な説明】
【００１５】
【図１】トウモロコシの毛の除去装置の正面図
【図２】ローラの縦断面図
【符号の説明】
【００１６】
１トウモロコシの毛の除去装置、  ２機枠、  ３、５モータ、  ６無端ベルト、  ７、８散水装置、  １０トウモロコシ、  １１合成ゴム製ローラ、  １２軟質発泡体製ローラ
【図１】
2008272049.tif 000003
【図２】
2008272049.tif 000004
(57)【要約】    【課題】ネオバボタンの首部の形状を変更することにより、ボタンホールに無理な力がかからないようにする。    【解決手段】表面部材（２）と、この表面部材（２）と生地（６）との間に位置する首部（３）と、生地（６）を挟んで裏側から前記首部（３）に対して打ち込まれる固定部材（４）からなるネオバボタンである。前記首部（３）の横断面は非真円、例えば楕円、長方形又は直線状の何れかである。特に楕円が好ましく、楕円直径の最長部分は最短部分の１．３〜１０．０倍であることが好ましい。【選択図】図２
2008272040.tif 000002
【特許請求の範囲】
【請求項１】
表面部材（２）と、この表面部材（２）と生地（６）との間に位置する首部（３）と、生地（６）を挟んで裏側から前記首部（３）に対して打ち込まれる固定部材（４）からなるネオバボタンにおいて、前記首部（３）の横断面が非真円であることを特徴とするネオバボタン。
【請求項２】
前記首部（３）の非真円の横断面が、楕円である請求項１記載のネオバボタン。
【請求項３】
前記楕円直径の最長部分は最短部分の１．３〜１０．０倍である請求項２記載のネオバボタン。
【請求項４】
前記首部（３）の非真円の横断面が、長方形又は直線状の何れかである請求項１記載のネオバボタン。
【発明の詳細な説明】
【技術分野】
【０００１】
本発明はジーンズなどで使用されるいわゆるネオバボタンに関する。
【背景技術】
【０００２】
ネオバボタンは、例えば下記特許文献１に示すように、模様や文字を刻印した表面部材と、この表面部材と生地との間に位置する首部と、生地を挟んで裏側から首部に対して打ち込まれる固定部材からなる。
【０００３】
この特許文献１を始めとして、従来技術で使用するボタン首部は、円柱状であって、本発明者が知る限り、その他の形状は存在しない。
【特許文献１】特開２００４−６５２９２
【発明の開示】
【発明が解決しようとする課題】
【０００４】
図４及び図５は、それぞれ従来のネオバボタンの横断面図及び縦断面図である。上記したように、首部３Ａは円柱状であり、比較的に直径が大きい。このボタン１Ａをボタンホール７に通すと、図４のように、スリット状のボタンホール７を縦方向に無理やり広げることになり、周囲に皺が寄ったり、型くずれしたりして、生地を傷めやすい。特にネオバボタンをジーンズジャケットの前立てに使用したときなどに、この欠点が目立っていた。
【０００５】
本発明は、この問題点に鑑みて行われたもので、ネオバボタンの首部の形状を変更することにより、ボタンホールに無理な力がかからないようにすることを目的とする。
【課題を解決するための手段】
【０００６】
本発明のネオバボタンは、表面部材と、この表面部材と生地との間に位置する首部と、生地を挟んで裏側から首部に対して打ち込まれる固定部材からなるものにおいて、前記首部の横断面を非真円とすることを特徴とする。
【発明の効果】
【０００７】
本発明によれば、首部の横断面が非真円であるので、ボタンホールの形状に近づき、ボタンホール周辺の生地を傷めることが少ない。
【発明を実施するための最良の形態】
【０００８】
「非真円」とは縦方向長さ及び横方向長さに長い部分又は短い部分があることであり、その横断面としては、楕円形、長方形、極端な長方形である直線を使用することができる。中でも指に対する接触感が良好な楕円が好ましい。楕円直径の最長部分は最短部分の１．３〜１０．０倍程度が好ましく、最も好ましいのは、１．５〜５．０倍程度である。１．０に近ければ横断面を楕円にする意義が失われ、１０を越すと直線に近くなる。
【０００９】
使用する素材としては、全て金属製であることが普通であり、真鍮、アルミニウム、銅、鉄、等を使用することができる。
【実施例１】
【００１０】
以下、添付の図面に基づき、本発明の実施例を説明する。
【００１１】
図１〜図３は、本発明の実施例に係るジーンズ用ネオバボタン１である。図１（ａ）は斜視図、（ｂ）は平面図、（ｃ）は底面図、（ｄ）は正面図、（ｅ）は側面図である。図２及び図３は、それぞれこのボタンの横断面図及び縦断面図である。
【００１２】
図１に示すように、このネオバボタン１は、表面部材２と、この表面部材と生地との間に位置する首部３を有する。生地６に取り付けるときには、図３に示すように、生地６を挟んで裏側から首部３に対して打ち込まれる固定部材４を使用する。
【００１３】
このネオバボタンの首部３の横断面は楕円である。直径の最長部分は最短部分の約２倍である。
【００１４】
この首部３を有するネオバボタンを生地に取付け、ボタンホール７に通すと、ボタンホール７は図２の状態となる。このボタン１が、スリット状のボタンホール７を縦方向に余り広げないことは、従来例を示す図４と比較すれば一目瞭然である。その結果、ボタンホール７の周囲に皺が寄りにくく、型くずれもしにくいという効果が得られる。本発明のネオバボタンは、ジーンズジャケットの前立てに使用したときでも、衣服がボタンホール周辺で型くずれを起こしにくい。
【００１５】
図示しないが、ネオバボタンの首部の横断面として、長方形や極端な長方形である直線を採用することもできる。長方形は角を丸めることが好ましい。
【図面の簡単な説明】
【００１６】
【図１】本発明の実施例に係るネオバボタンである。（ａ）は斜視図、（ｂ）は平面図、（ｃ）は底面図、（ｄ）は正面図、（ｅ）は側面図である。
【図２】本発明のボタンの横断面図である。
【図３】本発明のボタンの縦断面図である。
【図４】従来のボタンの横断面図である。
【図５】従来のボタンの縦断面図である。
【符号の説明】
【００１７】
１     本発明のネオバボタン
１Ａ   従来のネオバボタン
２     表面部材
３     首部
３Ａ   従来の首部
４     固定部材
６     生地
７     ボタンホール
【図１】
2008272040.tif 000003
【図２】
2008272040.tif 000004
【図３】
2008272040.tif 000005
【図４】
2008272040.tif 000006
【図５】
2008272040.tif 000007
(57)【要約】【課題】  補助輪の積載スペースを簡単迅速に確保し、補助輪自体の積み下ろしも簡単迅速にでき、補助輪が飛散させる泥を止めるフェインダー機能を有し、作業台・足踏み台としての役目も果たす。【解決手段】一対以上の鉤で釣り下げる構造とし、本体は上部開放で、タイヤ幅の調整可能な仕切り板を設けることで、前後左右にゆとりが無い箱状に成った空間に入れて、ネジ等での固定は行わない。又泥除けフェインダー機能を有し、上部に簡便に取り付ける板を設けることで、作業台・足踏み台として利用可能とした。【選択図】なし【特許請求の範囲】
【請求項１】
汎用車両の後部及び側面荷台ドア上部に、１対以上の鉤形状のフックで釣り下げ設置することを特徴とする、補助輪格納箱兼泥除けフェインダー兼作業台・踏み台。
【請求項２】
底面と両側面下部下方に設ける泥除けの垂れで、補助輪に付着する土が遠心力で飛散するのを防止するフェインダー機能を有することを特徴とする、補助輪格納箱兼泥除けフェインダー兼作業台・踏み台。
【請求項３】
中央部に、タイヤ幅の異なる補助輪の格納に対応し、残りを小物の収容スペースとして分離する、移設容易な構造を有する仕切りを設けることを特徴とする、補助輪格納箱兼泥除けフェインダー兼作業台・踏み台。
【請求項４】
上面に、作業台又は足踏み台として利用する板を設けることを特徴とする、補助輪格納箱兼泥除けフェインダー兼作業台・踏み台。
【発明の詳細な説明】
【技術分野】
【０００５】  本発明は、主として農林水産業に使われる軽トラック・小型トラック・運搬車両に着脱する補助輪を運搬するための容器、作業に必要な器具・小物を運搬する容器、及び補助輪が回転により遠心力で飛散させる泥を除けるフェインダーに利用し、又作業台・踏み台としても利用可能な、釣り下げ式補助輪格納箱兼泥除けフェインダー兼作業台・踏み台に関するものである。
【背景技術】
【０００６】  荷物を満載すると、補助輪の積載スペースが無くなり、高い荷物の上又は運転席の上のルーフキャリアに汚れた補助輪を積むか、別便で積む・運ぶ必要が有った。【０００７】  車体からはみ出して装着する補助輪のタイヤに付着した土が、遠心力で飛散し、車両側面及び積荷に付着して汚れていた。【０００８】  荷台が満載状態で、運転席が満席の場合、作業に必要な器具・道具・弁当や水筒・長靴やカッパ等の積載スペースが不足していた。【０００９】  積載作業が上段になると、荷物を差し上げて積む重労働となり、荷台に別の人がいて受け取って積む場合は、サイドドアの上面が足場及び仮置き場となり、不安定な危険な作業となる。しゃがんで行う作業・中腰で行う作業・移動しながら行う作業器具の置き場所として利用する台があれば、肉体労働が軽減できる。
【発明の開示】
【発明が解決しようとする課題】
【００１０】  補助輪は左右一対で最低２本、着脱の頻度はスペアタイヤに比べ格段に多いので、２本の積載スペースの確保と、補助輪の積み下ろしが簡単・迅速に行える必要がある。しかも年間を通じると、車両自体の作業に使う期間は短く、普段は不要で、有ると邪魔である。【００１１】  普及しているルーフキャリアーは積みつけ位置が高く、物品の積み下ろしには不便で、泥の付着した補助輪を運ぶには不向きである。【００１２】  汎用車両にアタッチメントとして取り付ける補助輪にはフェインダーが無く、車体よりはみ出すので、補助輪に付着した土が、遠心力で飛散していた。【００１３】  本発明は、公道走行時は、道路交通法及び安全面で、後部ドアに設置するが、本作業時は後部ドアを開けて作業する場合も多く、ボルト固定式では着脱に不便で、簡便に車体側面、補助輪の真上に移設できる必要がある。【００１４】  荷台に荷物を積みつけていく際に、荷台側面上端に仮置きの出来る作業台が有ると便利であり、又積みつけが進むと、荷台上で作業する人の足場が無くなり、側面ドアの上端で不安定な不安全作業を行っている。作業台と安全足場の提供を考慮した。
【課題を解決するための手段】
【００１５】  今回発明の箱を左右側面に設置できるように２分割の構造とした。が泥除けフェインダー機能が不要な場合は一体型でも良い。【００１６】  今回発明の箱は一対以上の鉤状フックで後部又は側面荷台ドアに釣り下げる構造とした。【００１７】  今回発明の箱を補助輪の泥除けフェインダーとしての効果を上げるために、同箱の両側面下部下方に泥除け垂れを設けた。【００１８】  今回発明の箱の上面に作業台と足場板の役目を兼ねた蓋を設けた。【００１９】  今回発明の箱の中央部に移設可能な仕切りを設け、補助輪のタイヤ幅の変更に対応するように工夫し、残りのスペースを小物入れとした。又補助輪を使用しないときは取り外して大きな物、又は多くの量を積める様に配慮した。
【発明の効果】
【００２０】  補助輪を使う必要のある時に、簡便に補助輪を積み込むスペースを確保できる。【００２１】  補助輪を装着して走行する際に、側面、補助輪の上に設置し、遠心力で飛散する泥を止める事が出来る。【００２２】  補助輪のタイヤ幅は用途により異なるサイズを使用するが、移設可能な仕切り板を移設調整することで対応し、残りのスペースを小物入れとした。【００２３】  作業台及び安全足場としての活用が出来る。
【発明を実施するための最良の形態】
【実施例】
【００２４】  本発明は、本体に設けた鈎取り付け座６とスペーサー５及び鉤先端部品４で釣り下げるフックを形成し、荷台後面及び側面ドアに設置、移設を容易にした。又スペーサー５の厚みを変えることでドアの厚みの異なる車種に対応した。
鉤先端部品４に設けた雌ネジに鈎取り付け座６とスペーサー５を貫通してボルト７で締め付ける構造とした。【００２５】  本体中央部に移設容易な仕切り板９を設け、補助輪格納に最適な幅を選択可能とし、残りを小物積載スペースとした。移設は取り付けボルト１０及び多数設けた雌ネジ８で行う。【００２６】  本発明は左右補助輪に対応するために二分割で一組とした。それぞれを左右の補助輪の真上に設置し、本体底部及び泥除けたれ１１で泥除けフェインダーを形成する構造とした。【００２７】  板１を本体上面に設置することで、作業台・物置台・踏み台としての機能を付加した。切り欠き２は鈎取り付け座６にはまり込み、板１の下面に設けた突起３と共に板１の落ち止めとした。
【産業上の利用可能性】
【００２８】  上記の発明は、補助輪及び作業用器具・小物の積載スペースを確保し、作業台・物置台・踏み台として利用可能である。
【図面の簡単な説明】
【図１】本発明にかかる作業台・物置台・踏み台として利用する板の外観図である。
【図２】本発明の本体の外観図である。
【符号の説明】
１・・・板
４・・・鉤先端部品
５・・・スペーサー
６・・・鈎取り付け座
７・・・ボルト
９・・・仕切り板
１１・・・泥除け垂れ
【図１】
2008296891.tif 000002
【図２】
2008296891.tif 000003
(57)【要約】【課題】時代の要請とも言える、環境を汚さない移動手段としての自転車をよりコンパクトにして、歩く感覚で利用し、時には携持出来、駐輪場の土地をも縮小させるメリットや便利さを提供する。【解決手段】従来品より極端に小さく、体に密着感があり、乗る感覚から歩く感覚で利用出来、女性でも軽くて持ち運びが出来る。【選択図】図１
2008296889.tif 000002
【特許請求の範囲】
【請求項１】
自転車の機能を最小限にし、ギヤに前輪を固定し歩く感覚で乗る携持自転車
【発明の詳細な説明】
【発明の詳細な説明】
【発明の属する分野】
【０００１】本発明は最寄り駅迄（ロッカー収納）の通勤、通学利用者や、広い団地回りの営業マン、火気厳禁の工場構内の移動手段に関する。
【背景技術】
【０００２】自転車の小型化は近年進んでいますが、単に車輪が小さくなった製品が多く従来品はまだまだ嵩張る。
【発明が解決しようとする課題】
【０００３】従来品より体に密着感があり、乗る感覚から歩く感覚であり、しかも早い。
【課題を解決する為の手段】
【０００４】女性でも軽く持ち運びが楽で、又、駐輪場等の土地も圧縮され環境問題や省エネに貢献。
【発明実施の形態】
【０００５】駆動ギヤに前輪が一体化し前輪とハンドル、駆動ペダル、サドルが取り外せる為、携持バッグに収納出来る。
【発明の効果】
【０００６】駅前の駐輪場や、都内のスーパーでは、自転車による混雑と危険性、管理人の設置や土地スペースの有効利用等が大いに期待出来る。
2008296889.tif 000003
【図１】
2008296889.tif 000004
【図２】
2008296889.tif 000005
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
自転車の機能を最小限にし、ギヤ部分に前輪を一体化して、歩く感覚で乗る携持自転車。
【手続補正２】
【補正対象書類名】明細書
【補正対象項目名】全文
【補正方法】変更
【補正の内容】
【発明の詳細な説明】
【発明の属する分野】
【０００１】本発明は最寄駅迄（ロッカー収納）の通勤通学者や広い団地廻りの営業マン、火気厳禁の工場構内移動手段に関する。
【背景技術】
【０００２】自転車の小型化は近年進んでいますが、車輪を小さくした製品や、折り畳みもあるが、まだ重く嵩張る。
【発明が解決しようとする課題】
【０００３】従来品はよりスピード感と、乗り心地をテーマにした製品が多く、当該品は実用性を重んじ、体と一体化し歩く感覚で乗る自転車である。
【課題を解決する為の手段】
【０００４】女性でも軽く緊急時はすぐブレーキと足で停止出来る。又、駐輪場等は場所も圧縮され環境や省エネに貢献する。
【発明実施の形態】
【０００５】駆動ギヤに前輪が一体化している為、背筋が伸びている為、咄嗟に制御し易く又、前輪ハンドル、サドル等取り外せる為、バッグ等に収納出来る。
【発明の効果】
【０００６】駅前の駐輪場や郊外のスーパーは、自転車の混雑と危険性が緩和、土地スペースの有効利用が期待出来る。
【図面の簡単な説明】
【０００７】
【図１】側面図と前後図である。
【図２】立体図である。
【符号の説明】
【０００８】１  ハンドル（取り外し）    ２  ブレーキ
３  ペダル（取り外し）      ４  前輪（取り外し）
５  駆動ギヤ                ６  躯体フレーム
７  サドル（取り外し）      ８  チェーン
９  後輪                  １０  ギヤ取付フレーム
【手続補正３】
【補正対象書類名】図面
【補正対象項目名】全図
【補正方法】変更
【補正の内容】
【図１】
2008296889.tif 000006
【図２】
2008296889.tif 000007
(57)【要約】【課題】    自転車走行時にスカートの舞い上がりを防止するストッパーを提供する。【解決手段】    サドルを支える部分に、柔らかい棒状の軸体を設け、先端に装飾具を設けたことを特徴とする風によるスカートの舞い上がりを防止するストッパー。【選択図】図１
2008296888.tif 000002
【特許請求の範囲】
【請求項１】
サドルを支える部分に柔らかい棒状の軸体を設け、先端に装飾具を設けたことを特徴とする風によるスカートの舞い上がりを防止するストッパー。
【発明の詳細な説明】
【技術分野】
【０００１】    本発明は、自転車走行時に風によるスカートの舞い上がりを防止するストッパーに関するものである。
【背景技術】
【０００２】    従来、自転車走行時、スカートが風により舞い上がるたび、片手で抑えたりしていた。
【発明の開示】
【発明が解決しようとする課題】
【０００３】    その為に、次のような問題点があった。
自転車走行中片手で、舞い上がったスカートを抑えたり、気にしたりと危険が伴なった。
本発明は以上の問題点を解決しようとするものである。
【課題を解決するための手段】
【０００４】    サドルを支える部分に柔らかい棒状の軸体を設け、先端に装飾具を設けたことを特徴とする風によるスカートの舞い上がりを防止するストッパー。
【発明の効果】
【０００５】    本発明は、風のある日、雨の日に自転車を漕ぐ時、スカートの舞い上がりを気にせず安全に自転車を漕ぐ事ができる。
【発明を実施するための最良の形態】
【０００６】    以下、本発明の実施の形態を説明する。
（イ）自転車のサドルを支える軸（１）に取り付ける為の取り付け具（２）を設ける。
（ロ）取り付け具（２）に繋がった柔らかい棒状の軸体（３）の先端にスカートを抑えるための装飾具（４）を設ける。
本発明は以上の構成よりなっている。
本発明を使用する時は、自転車のサドルを支える部分に取り付け具（２）に設けたボルト（５）とナット（６）を介して軸体（３）を装着する。その後、軸体（３）の先端を装飾具（４）の片面に設けた袋部（７）に挿入する。風の日も、雨の日も、スカートが舞い上がる時に柔らかい軸体（３）をスカートの方向に折りまげて、スカートを覆いかくすのに装飾具（４）を倒す。したがって風が吹いても装飾具（４）の重みによってめくれることがなく安心して且つ安全に走行できる。
【図面の簡単な説明】
【０００７】
【図１】  本発明の装着図
【図２】  本発明の斜視図
【図３】  本発明の分解図
【図４】  本発明の使用説明図
【符号の説明】
【０００８】      １  自転車のサドルを支える軸
２  取り付け具
３  軸体
４  装飾具
５  ボルト
６  ナット
７  袋部
【図１】
2008296888.tif 000003
【図２】
2008296888.tif 000004
【図３】
2008296888.tif 000005
【図４】
2008296888.tif 000006
(57)【要約】【課題】同量のセメント量（コンクリート原材料の中で最も高価格）で従来のコンクリートより初期強度及び長期強度で数十パーセントの増が見込まれるコンクリート製造方法である。コスト面を度外視すれば高価な混和剤やセメント量を増やせば、強度を増す方法はあるが、施工性及びコスト面で使用は限られている。【解決手段】コンクリート製造（混練）時に使用する水に代って、２０ミクロン以下の微細泡を含んだ水を使用することによって、コンクリートの初期圧縮強度および長期圧縮強度の増加となることを特徴とするコンクリート製造方法。【選択図】図１
2008296565.tif 000002
【特許請求の範囲】
【請求項１】
コンクリート製造（混練）時に使用する水に代えて、微細泡を含んだ水を使用することによって、コンクリートの圧縮強度増となることを特徴とするコンクリート製造方法。
【発明の詳細な説明】
【技術分野】
【０００１】本発明は、土木・建設・建築で使用するコンクリート製造において微細泡水を使用したコンクリート圧縮強度増を伴う製造方法に関するものである。
【背景技術】
【０００２】コンクリートを混練する時に通常の水を使うと初期強度を得る為に長い期間の養生が必要であった。また、長期強度を増すにはセメント量を増すのが通常の方法であった。
【非特許文献１】「コンクリート工学」  朝倉書店
【発明の開示】
【発明が解決しようとする課題】
【０００３】同量のセメント量（コンクリート原材料の中で最も高価格）で従来のコンクリートより初期強度及び長期強度で数十パーセントの増が見込まれるコンクリート製造方法である。従来は目標のコンクリート初期強度を得るため長い期間養生する必要があった。コスト面を度外視すれば高価な混和剤やセメント量を増やせば、強度を増す方法はあるが、施工性及びコスト面で使用は限られている。
【課題を解決するための手段】
【０００４】コンクリート製造（混練）時に使用する水に代って、２０ミクロン以下の微細泡を含んだ水を使用することによって、コンクリートの初期圧縮強度および長期圧縮強度の増加となることを特徴とするコンクリート製造方法。現場品質管理に使用されているスランプ試験の値もＡＥコンクリート（ＡＥ剤使用）と同様の値で発現しており、従来のスランプ試験でも十分に現場品質管理ができると考えられる。コンクリート強度及び施工性についてはコスト面を度外視すればいくらでも製造方法はあるが、本製造方法ではコストを少なく、かつコンクリート強度の増が見込まれる製造方法である。
【発明の効果】
【０００５】図１に示すように、初期強度の増により型枠の脱却が早期に行なえる為、施工性、経済性が増す。また、長期強度も増す為、目標強度を得るための従来のセメント量の減量が考えられるので経済性が増す。
【発明を実施するための最良の形態】
【０００６】微細泡の粒径が２０ミクロン以下で、その泡が多数発生する装置を使用し、他の混和剤を使用しない。
【実施例】
【０００７】表１．微細泡水使用のコンクリート配合表により３種類（ＡＥ剤・５０ミクロン以下・２０ミクロン以下）のコンクリートを製造し、圧縮強度試験を行った結果、２０ミクロン以下微細泡水は、表２．微細泡水使用コンクリート圧縮強度試験結果より１週間圧縮強度試験でＡＥ剤より２０％以上の増が認められ、１３週間経過でも強度増の低減は認められなかった。
ＡＥ剤：通常コンクリートに使用する減水効果のある混和剤と普通水を使用。
５０ミクロン以下：微細泡発生装置によって混練り直前に作られた微細泡水（白濁状態）で５０ミクロン以下の微細泡水を使用。混和剤使用せず。
２０ミクロン以下：微細泡発生装置によって混練り数時間前に作られた微細泡水（澄んだ状態）で２０ミクロン以下の微細泡水を使用。混和剤使用せず。
微細泡発生装置は資源開発株式会社「高濃度マイクロバブル発生装置Ｂ−０１」を使用。（特許第３６２０７９７号）
２０ミクロンの泡発生能力：  １ｃｃ当り約３５００個
【表１】
2008296565.tif 000003
【表２】
2008296565.tif 000004
【産業上の利用可能性】
【０００８】土木、建設、建築に使用するコンクリート製造コストの削減が考えられる。
【図面の簡単な説明】
【０００９】
【図１】検試体３種類の圧縮強度の経時変化。
【図１】
2008296565.tif 000005
(57)【要約】      （修正有）【課題】賞状盆を使うとき、賞状が底面に入り込まないようにして、取り扱いが容易に出来るようにする。【解決手段】賞状盆の内面に、賞状を受け止める補助材１を設け、賞状が底面に全く入り込む事が無いようにした。補助材に足２を付け、固定したものと同じ様に、安定して使用でき、また取り外しが容易に出来るようにした。【選択図】図１
2008296568.tif 000002
【特許請求の範囲】
【請求項１】
補助材を、内面に設けた賞状盆。
【請求項２】
補助材に足を付けた、賞状盆の補助具。
【発明の詳細な説明】
【技術分野】
【０００１】この発明は、賞状盆を使用中に、平らな底面に、賞状が入り込むのを防ぐため、賞状盆の内面に賞状を受け止める補助材を設け、賞状の入り込みを解消しようとするものである。
また補助材に足をつけて安定性を持った補助具を作り、賞状の落ち込みを防ぐと共に、取り外しが簡単に出来る機能も持たせようとするものである。
【背景技術】
【０００２】従来より賞状盆の内面は平らで、賞状の落ち込みを防ぐ補助材を内面に設けた賞状盆はなかった。従って賞状が底面に入り込んでしまうことがあった。
【発明が解決しようとする課題】
【０００３】賞状盆を使用中に、時として賞状が平らな底に入り込んでしまい、取り出しにくくなるという問題点があった。本願は、この課題を解消して、賞状盆を使い易くしようとするものである。また賞状を受け止める補助材を、容易に取り外しが出来る様にしようとするものである。
【課題を解決するための手段】
【０００４】賞状盆の内面に賞状を受け止める補助材１を取り付け、安定して使えるように固定した。補助材１は取り扱いの邪魔にならないように細い棒状の材料を使う。
また補助材１に、足２をつけた補助具３を作り、固定したものと同じような安定性を持たせるとともに、容易に取り外しが出来るように構成した。
【発明の実施形態】
【０００５】以下、発明の実施形態について説明する。
（イ）賞状盆の内面の、手前より３分の２近くの部分に、高さ２センチ位の補助材１を取り付け固定する。これにより賞状を確実に受け止める作用が出来るので、賞状が底に落ち込むことは全く無くなる。補助材１は邪魔にならないように棒状のものを使用する。なお補助材１の両端の、賞状盆の左右の縁の内面にガイドを作り、補助材１に、取り外し機能を持たせることも出来る
（ロ）補助材１に足２をつけ、補助具３を作る。使う時に補助材１が賞状の３分の２近くに来るように、足２の前の部分で調整をする。また足２に可動な棒を設け、ネジ止め等で固定する製品化後の調整機能を持たせることができる。足２の裏側には滑り止め、緩衝、消音作用を持つ、ゴムやフェルトを貼り付ける。この補助具３は賞状を受け止める作用や、安定性は固定したものと変わらない。また補助具３は色々な形態のものを作ることができるが、補助具４は、その一例として、一体型の補助具を示すものである。
【発明の効果】
【０００６】この発明を実施した賞状盆の中に賞状を置くと、補助材１があり、賞状を確実に受け止める効果がある。固定したり、足を付けたりして、安定して使えるように配慮されているので、賞状が賞状盆の底に落ち込むことは全くなくなる。
その効果により賞状盆が扱い易くなり、安心して使うことができる。このときの賞状の状態は、賞状盆の内面の手前より３分の２近くの所にある、高さのある補助材１により、前の方が高くなり、上に向かって角度がつくので、一枚一枚の賞状の取り出しが、従来のものより容易になる。使っているときは、補助材１は賞状の下になるので邪魔になることはない。また、掃除のとき等に邪魔にならないように、補助材１に直接、取り外し機能を持たせることも出来る。
補助材１に足２をつけた補助具３は、賞状を受け止める効果においては補助材１を固定したものと変わらない。取り外しが何時でも容易にでき、賞状盆の形を崩したり、使用範囲を限定することがないので、色々の用途に賞状盆を使うことが出来る。また補助具３の長さの幅は、賞状盆の内寸一杯でなくても、３分の２位の長さがあれば補助具としての機能を充分に持っているので、長さを限定して、２種類の長さの補助具３を作れば、通常の賞状盆の大きさである、３７センチより６０センチくらい迄の全ての寸法の賞状盆に使えて、効率が良い。この補助具３の大きな効果と特徴は、従来から使われている一般の賞状盆に、そのまま使えることである。そして足２の裏に貼ったゴムやフェルトによる滑り止め、緩衝、消音効果もあり、気持ちよく賞状盆を使うことが出来る。
また補助材１や足２に、龍や鳳凰の彫刻をしたり、蒔絵を描いたり、今までに無かった色々な意匠的な変化を創り出すことが出来る。また一体型の補助具４は本体の前後の幅も広いので、定紋や紋章等を入れて意匠的効果を高めることが出来る。従来の賞状盆の印象は、落ち着いた黒いものという感じが強く、賞状盆の金縁がそれを和らげていた。この特許では、清楚な補助材１が内面にあったり、補助材１の上に金いろの龍が頭を出したり、金色に輝く鳳凰の彫刻が、賞状盆の内面を乱舞したり、今までにない色々な変化を創り出すことが出来る。
そして此れを使う人に、また見る人々に、今までの印象を変化させて、賞状盆は絢爛とした素晴らしいものである、という明るい印象を与える効果も充分あるのではないかと思われる。これ等は、意匠的な大きな変化、効果である。これは今までに無かった賞状盆の補助材１や、補助具３が新しく創造されたことによる、幾つかの効果の内のひとつである。
【図面の簡単な説明】
【０００７】
【図１】内面に補助材を設けた賞状盆の斜視図。
【図２】補助材に足を付けた、補助具の斜視図。
【符号の説明】
【０００８】１      補助材
２      足
３      補助具
４      一体型の補助具
【図１】
2008296568.tif 000003
【図２】
2008296568.tif 000004
(57)【要約】【課題】  限られた作業療法時間内もしくは在宅において、複数の単純作業を組合せて、ハーブのほのかな香りを有した作品を完成させ、気兼ねなく第三者に作品を贈ることができ、ストレス解消やリラックス効果が期待できる高齢者や身障者等に対する作業療法に活用可能な塗り絵ハガキを提供することを目的とする。【解決手段】  ハーブの香りがする塗り絵ハガキセットは、着色用の図案が輪郭線によって描かれたことを特徴とする着色対象紙、ハガキ、着色対象紙やハガキに塗布することを特徴としたハケ付容器に入ったハーブの香りがする芳香液によって構成される。着色対象紙の図案を切り出し、ハガキに貼り、着色し、芳香液の塗布によりハーブの香りをつけることで、作業療法施設や在宅でも手がけることができる作品が完成し、宛名等を書いて投函することで、第三者への贈り物とすることができる。【選択図】図１
2008296566.tif 000002
【特許請求の範囲】
【請求項１】
図案が描かれた着色対象紙、官製または私製ハガキ、ハーブの香りがする芳香液によって構成され、作業療法に活用することを特徴とするハーブの香りのする絵ハガキセット。
【請求項２】
図案が描かれた着色対象紙から図案を切り出す工程、切り出した図案をハガキに貼付する工程、図案を着色する工程、図案やハガキにハーブの香りがするハケのついた容器に入った芳香液をハケで塗布する工程、および宛名や文面に文字を書く工程からなり、異なる各工程を短時間で実施して作品を完成させることを特徴とする請求項１を使用した作業方法。
【発明の詳細な説明】
【技術分野】
【０００１】  本発明は、高齢者や身障者等の作業療法用途として活用可能な塗り絵とその作業方法に関し、特にハーブの香りがする塗り絵ハガキとその作業方法に関するものである。
【背景技術】
【０００２】  従来から塗り絵は、輪郭が描かれた図案に着色して楽しむ玩具として知られている。塗り絵は、作業者が「着色する」という工程の中で、色の選択、色づけ、色合いや濃淡の調整を、思考しながら指先や視覚を使って作成される。さらに、完成した作品は唯一の作品となり、達成感や充実感も得られる。よって、塗り絵の作業は、脳の活性化により、ストレス解消やリハビリに対して効果があるとして、作業療法でも活用されている。
【発明の開示】
【発明が解決しようとする課題】
【０００３】  しかしながら、従来の塗り絵は着色作業だけを対象とするものがほとんどであり、完成した作品は個人の鑑賞用として保管されるか、破棄されることが多い。【０００４】  医療機関等で実施している作業療法は、心身に障害のある人々に対して、応用的動作能力や社会的適応能力の回復を図る手段として、手芸、工作その他の作業が行われているが、作業療法により完成した作品の取扱いは、作業者に委ねられている。完成した作品を人に贈るという行為により、作業者の精神的な安らぎを得られる効果が期待できるが、気兼ねする作業者にとっては贈り物として活用可能な作業療法による完成品は少ない。【０００５】  日本では、作業療法や理学療法等によるリハビリ日数に制限がつき、作業療法士のもとでリハビリを長期間続けることができなくなった。そのため、従来のように病院等によって長期間での継続作業によって得られるリハビリ効果が期待されない。
また、リハビリ日数の制限は、１日で実施する作業療法時間をも制限することになる。短時間で作品を完成させることができる作業であれれば、達成感や充実感も得られるが、作業療法時間内で完成できない作品をつくる作業となれば、作業時間を気にしたり、不本意ながらも作業を中断したりすることにより、作業者のストレスを蓄積する可能性がある。【０００６】  本発明は、在宅でも可能な複数の単純作業を組合せ、ほのかな香りを有し、気兼ねなく第三者に作品を贈ることができ、ストレス解消、リハビリ効果、達成感や充実感が期待できる、高齢者や身障者等に対する作業療法に活用可能な塗り絵ハガキとその作業方法を提供することを課題とする。
【課題を解決するための手段】
【０００７】  以上の課題を解決するため、本発明の作業療法用途のハーブの香りがする塗り絵ハガキは、図案が描かれた着色対象紙、ハガキ、ハーブの香りがする芳香液によって構成され、切り出し工程、貼付工程、着色工程、塗布工程、記述工程の異なる各工程を短時間で実施して作品を完成させることを特徴とする請求項１の作業方法。【０００８】  着色対象紙とは、色を塗るための複数の図案が輪郭線によって描かれたことを特徴とする用紙である。芳香液とは、エッセンシャルオイルなどのハーブの抽出液を希釈したハケ付容器に入った液体で、ハケによって着色対象紙やハガキに塗布することを特徴とした液体である。着色対象紙の図案を切り出し、ハガキに貼付し、図案を着色後、芳香液を塗布することによりハーブの香りをつけることで、作品が完成し、宛名等を書いて投函することで、第三者への贈り物とすることができる。
【発明の効果】
【０００９】  本発明の効果は、着色対象紙に複数の図案が描かれていることで、ひとつの図案を切り出すという作業が生じる。また、ハガキを用意することで、図案をハガキに貼るという作業が生じる。図案は輪郭線で描かれているため、図案に色を塗るという作業が生じる。芳香液により着色対象紙や台紙に塗布するという作業が生じる。最後に、宛名や文章を書くという作業が生じする。以上より、限られた作業療法時間内に異なる工程作業を行い、ひとつの作品を完成させることによって、心身の機能回復等に有効な作業療法として活用することができる。【００１０】  本発明では、芳香液にアロマテラピー（芳香療法）として使用されているハーブを利用することで、芳香液塗布作業が、従来の塗り絵作業では得られなかった香りによる神経の鎮静効果やストレスの軽減効果として機能することが期待できる。
【発明を実施するための最良の形態】
【００１１】  以下、図１を参照しながら本発明の実施の一形態について説明する。着色対象紙１に描かれた図案２を切り出す。次に、切り出した図案２をハガキ３に貼り、図案２に色を塗る。そして、ハケ付容器４内の芳香液５をハケによって図案２やハガキ３に塗布する。最後に、ハガキ３に宛先や文章などを記載して、作業療法用途のハーブの香りがする絵ハガキが完成する。
【図面の簡単な説明】
【００１２】
【図１】本発明を構成する部品を示す図である。
【図２】本発明の完成を示す図である。
【符号の説明】
【００１３】  １  着色対象紙
２  図案
３  ハガキ
４  ハケ付容器
５  芳香液
【図１】
2008296566.tif 000003
【図２】
2008296566.tif 000004
(57)【要約】【課題】  入浴剤として、タダ同然の本物の果物の皮や茶葉などを湯舟に入れることで、果物やお茶の香りが浴室内に立ちこめて、仕事で疲れた心を癒してくれたり、お湯に浸みだした果物や茶葉の生エキスが身体の表面を滑らかにしてくれる風呂用芳香原料入れ具を提供する。また、お風呂嫌いの子供が楽しく入浴出来るようになる、果物や動物、乗り物など可愛い浮きの形をした風呂用芳香原料入れ具を提供する。【解決手段】浮き1、21の下部に芳香原料8を入れるネット3、43をぶら下げ、そのネット3、43の中又は下部に重り6、56を入れて湯舟に浮かべるようにし、果物や茶葉の生エキスをお湯にしみ出させたり、浴室内に芳香を生じさせるようにした、風呂用芳香原料入れ具である。【選択図】                               図1
2008296992.tif 000002
【特許請求の範囲】
【請求項１】
浮きに芳香原料を入れる収納袋を取り付けて、中に芳香原料を入れ風呂に浮かべるようにし、香りを漂わせたりエキスを溶け込ませる事を特徴とする風呂用芳香原料入れ具。
【請求項２】
収納袋の中又は下部に、収納袋が浮くのを防いだり、浮きが程良く沈んで安定するための重りを取り付ける事を特徴とする風呂用芳香原料入れ具。
【請求項３】
収納袋にファスナー取り付け、芳香原料や重りを出し入れしやすくした事を特徴とする風呂用芳香原料入れ具。
【請求項４】
りんごやメロンなどのような果物の形や、動物、乗り物など子供の風呂用おもちゃとして使える形をした浮きを特徴とする風呂用芳香原料入れ具。
【発明の詳細な説明】
【技術分野】
【０００１】
本発明は、湯舟のお湯に本物の果物皮や茶葉などから出る生エキスを溶け込ませたり、芳香を生じさせたりする、風呂用芳香原料入れ具に関するものである。
【背景技術】
【０００２】
従来は、みかんが入っている網目の袋に、りんごやみかん等の果物皮や茶葉などを入れて湯舟に浸けていたので、網目の袋が湯舟に浮いて見た目に悪く、不衛生な感じがするという欠点があった。また、本物のみかんやりんごを丸ごと浮かべても、エキスが溶けだしにくくてコストが高くついたり、人工入浴剤を使っても香りだけが果物に似ているだけで、本物の果物のエキスが溶け込んでいないという欠点があった。
【０００３】
この改善策として、本発明の風呂用芳香原料入れ具は、浮きの下に取り付けたネットの中に、果物の皮や茶葉を入れて使用することで、あたかも湯舟にりんごやメロンが浮かんでいるように見え、見た目にも可愛らしくて遊び心がある上に、本物の生エキスや香りが心を癒して入浴が楽しくなるようにする。
浮きの形としては、果物の形の他に動物、乗り物等の形が適している。
また、重りは無くても構わないが、重りをネットの中に入れるか下部に取り付けると、重みで浮きが安定するし、ネットも浮き上がらないので、見た目に良い。
【発明の開示】
【発明が解決しようとする課題】
【０００４】
従来の方法だと、網目の袋が湯舟に浮いて見た目に悪かったり、果物を丸ごと浮かべたときにエキスがお湯に溶けだしにくかったり、コストが高く付いて不経済という欠点があった。また、人工入浴剤を使っても香りが似ているだけで、本物の果物の生エキスが溶けだしていないという欠点があった。
【課題を解決するための手段】
【０００５】
本発明は、湯舟に浮かべる浮きに、芳香剤の収納袋としてのネットを取り付けて、そのネットの中にみかんやりんごなどの皮や茶葉などの芳香原料を入れ湯船に浮かべることで、本物の果物や茶葉の生エキスがお湯に溶け込んで身体の表面が滑らかになったり、立ちこめる芳香で疲れた身体や心が癒されリラックスでき、入浴が楽しくなるようにしたことを特徴とした風呂用芳香原料入れ具である。
【発明の効果】
【０００６】
本発明は、湯船のお湯に本物の果物の生エキスや茶葉を溶け込ませる場合に、コストがタダ同然で利用する事が出来る。また、浮きとしてりんごやメロンなど果物の形や、動物、乗り物などの形をした容器を使うことで、大人は疲れた心を癒されてリラックス出来るし、子供は、おもちゃとして利用出来るので、入浴が嫌いな子供でもいやがらずに楽しく入浴するようになるという効果が生まれた。
【発明を実施するための最良の形態】
【０００７】
図面は、本発明の実施の形態を示し、図1、図2において1、21は浮きである。
この浮き1、21の下部に留め具2、32を取り付け、ネット3、43の紐5、45を留め具2、32に引っかけたものが本案風呂用芳香原料入れ具である。
ネット3、43には、果物皮8や浮き1、21を安定させるための重り6、56を出し入れするためのファスナー4、44を取り付けている。
浮き1、21の材質としては、お湯に浮かび、人体に害のないものなら何でも可能であるが、コストが安く加工しやすい発砲スチロールが適している。
ネット3、43の材質としては、色々なものが考えられるが、お湯の熱に強くコストの安いポリエステルなどの洗濯ネットが適している。また、重り6、56は、お湯に浸けても人体に害のないものなら何でも可能であるが、コストが安くて人体に害のない自然石（本案では那智黒石を使用）が適している。
【実施例１】
【０００８】
本発明の風呂用芳香原料入れ具を使用する際は、ネット3、43の中に果物皮8と重り用ネット7、57に包んだ重り6、56を入れ、ネット3、43の上部に付いている紐5、45を、浮き1、21の下部に付いている留め具2、32に引っかけてから湯舟に浮かべる。すると、重り6、56がネット3、43を下に引っ張り、常時ネット3、43の中の果物皮8がお湯に浸かっているので、果物の生エキスがお湯の中にしみだしやすくなる。
また、重り6、56のために浮き1、21も幾分沈下して真っ直ぐに立ったように浮かぶので、あたかも本物のりんごやメロンなどが湯舟に浮かんでいるように見える。
重りはネットの中に入れるか、ネットの下部に取り付けると浮きが安定する。
【図面の簡単な説明】
【０００９】
【図１】本発明に係わる風呂用芳香原料入れ具の平面図である。
【図２】本発明に係わる風呂用芳香原料入れ具の浮きの平面図である。
【図３】本発明に係わる風呂用芳香原料入れ具の留め具の平面図である。
【図４】本発明に係わる風呂用芳香原料入れ具のネットの平面図である。
【図５】本発明に係わる風呂用芳香原料入れ具の重り用ネットの中に重りを入れた状態を示す平面図である。
【符号の説明】
【００１０】
1、21      浮き
2、32      留め具
3、43      ネット
4、44      ファスナー
5、45      紐
6、56      重り
7、57      重り用ネット
8          芳香原料
【図１】
2008296992.tif 000003
【図２】
2008296992.tif 000004
【図３】
2008296992.tif 000005
【図４】
2008296992.tif 000006
【図５】
2008296992.tif 000007
(57)【要約】【課題】地球温暖化の原因である工場等から排出される二酸化炭素を炭素とオゾンに還元して、低コストで二酸化炭素を固定化できるとともに、固定化により付加価値の高い生成物を得ることができる二酸化炭素の分解システムを提供する。【解決手段】工場等から排出される二酸化炭素を、オゾン発生装置を利用して炭素と酸素に変え、さらに生じた酸素をオゾンに分解する。オゾン発生装置は、紫外線法や放電法、高圧オゾン発生装置、大気プラズマ装置による。プラズマジェットの熱源の温度は約１，０００度であり、熱源は、工場の余剰熱源、その他、太陽光や風力、水力発電等、二酸化炭素の排出量が少ない方法による。【選択図】図１
2008296064.tif 000002
【特許請求の範囲】
【請求項１】
工場等から排出されるＣＯ２をオゾン発生装置の原理を利用してＣとＯ３に分解する。
【請求項２】
ＣＯ２に含まれる酸素原子を、紫外線法や放電法により分解し、Ｏ３を発せさせる。
【請求項３】
ＣＯ２を含む空気を高圧オゾン発生装置に通し、ＣＯ２のＯ２をＯ３化して分解する。
【請求項４】
ＣＯ２を含む空気を大気プラズマ装置に通し、約１０，０００℃のプラズマジェットの熱源を利用してＣＯ２のＯ２を熱分解させ、分離させる。
【請求項５】
請求項４の熱源は工場の余剰熱源を利用する。
【請求項６】
その他熱源として太陽光や風力、水力発電等ＣＯ２の排出が少ない方法を使用するとよい。
【発明の詳細な説明】
【技術の分野】
【０００１】地球の温暖化が問題視される中、その原因となるＣＯ２の発生量を抑制する方法が模索されている。
【発明が解決しようとする課題】
【０００２】ＣＯ２の除去法としては、吸着剤や触媒を使用して化学的に分解する方法が知られているが、その際に多大なエネルギーが必要となり、逆にＣＯ２が排出されてしまうため、実用的ではない。
【課題を解決する為の手段】
【０００３】太陽光や風力、水力発電等でエネルギーを供給することによりＣＯ２の排出を抑える。
【０００４】またＣＯ２分解の生成物としてＯ３を発生させることにより、より効果的に地球温暖化防止に寄与することが出来る。
【発明の詳細な説明】
【０００５】下記図１で示すような装置を、自動車のマフラーや工場の煙突に付けて置くことでＣＯ２の排出を抑制することが出来、同時に発生するＯ３によって地球温暖化の防止することが出来る。
2008296064.tif 000003
【手続補正書】
【提出日】平成19年8月3日(2007.8.3)
【手続補正１】
【補正対象書類名】要約書
【補正対象項目名】全文
【補正方法】追加
【補正の内容】
【要約】【要約】
【課題】地球温暖化の原因である工場等から排出される二酸化炭素を炭素とオゾンに還元して、低コストで二酸化炭素を固定化できるとともに、固定化により付加価値の高い生成物を得ることができる二酸化炭素の分解システムを提供する。
【解決手段】工場等から排出される二酸化炭素を、オゾン発生装置を利用して炭素と酸素に変え、さらに生じた酸素をオゾンに分解する。オゾン発生装置は、紫外線法や放電法、高圧オゾン発生装置、大気プラズマ装置による。プラズマジェットの熱源の温度は約１，０００度であり、熱源は、工場の余剰熱源、その他、太陽光や風力、水力発電等、二酸化炭素の排出量が少ない方法による。
【選択図】図１
【手続補正書】
【提出日】平成19年9月20日(2007.9.20)
【手続補正１】
【補正対象書類名】明細書
【補正対象項目名】全文
【補正方法】変更
【補正の内容】
【発明の詳細な説明】
【技術分野】
【０００１】
地球の温暖化が問題視される中、その原因となる二酸化炭素の発生量を抑制する方法が模索されている。
【発明の開示】
【発明が解決しようとする課題】
【０００２】
二酸化炭素の除去法としては、吸着剤や触媒を使用して化学的に分解する方法が知られているが、その際に多大なエネルギーが必要となり、逆に二酸化炭素が排出されてしまうため、実用的ではない。
【課題を解決するための手段】
【０００３】
太陽光や風力、水力発電等でエネルギーを供給することにより、二酸化炭素の排出を抑える。
【０００４】
また、二酸化炭素分解の生成物としてオゾンを発生させることにより、より効果的に地球温暖化防止に寄与することが出来る。
【０００５】
図１で示すような装置を、自動車のマフラーや工場の煙突に付けて置くことで、二酸化炭素の排出を抑制することが出来、同時に発生するオゾンによって地球温暖化を防止することが出来る。
【図面の簡単な説明】
【０００６】
【図１】本発明に係る二酸化炭素の分解方法を示す模式図である。
【手続補正２】
【補正対象書類名】図面
【補正対象項目名】全図
【補正方法】追加
【補正の内容】
【図１】
2008296064.tif 000004